(57)【要約】      （修正有）【課題】支持部材を迅速にスライドレールキットに取り付け或いはスライドレールキットから簡単かつ迅速に取り外せるケーブルマネージメント支持装置を提供する。【解決手段】ケーブルマネージメント支持装置２０は、第一スライドレールキット２２及び第二スライドレールキット２４に取り付けて用いられる。第一スライドレールキット２２は第一レール２８、第二レール３０、及び第一レールと第二レール間に連結される第三レール３２を有する。ケーブルマネージメント支持装置２０は、第一取付部材３８、第二取付部材４２、二つの支持部６２、６４を有する支持座４６、支持部６２と第三レール３２にそれぞれ取り付けられる二つの支持部材４８、５０、および、支持部６４に軸着され第二スライドレールキット２４に分離可能に取り付けられる第三取付部材５２を備える。【選択図】図２
0003196217.tif 000002
【実用新案登録請求の範囲】
【請求項１】
第一レール、第二レール、及び前記第一レールと前記第二レールとの間に移動可能に取り付けられている第三レールを有する第一スライドレールキット、ならびに、第二スライドレールキットへの取り付けに用いられるケーブルマネージメント支持装置であって、
第一アーム、第一取付部材、第二アーム、第二取付部材、複数のケーブル支持特徴部、支持座、第一支持部材、第二支持部材、及び第三取付部材を備え、
前記第一アームは、第一端及び第二端を有し、
前記第一取付部材は、前記第一アームの第一端に隣り合う箇所に連結されており且つ前記第一スライドレールキットの前記第一レールに取り付けられており、
前記第二アームは、前記第一アームの第二端に隣り合う箇所に移動可能に連結されており、
前記第二取付部材は、前記第二アームに連結されており且つ前記第一スライドレールキットの前記第二レールに取り付けられており、
前記複数のケーブル支持特徴部は、前記第一アームと前記第二アームのいずれか一つに連結されており、
前記支持座は、第一支持部、及び前記第一支持部にほぼ垂直に連結される第二支持部を有し、
前記第一支持部材は、前記支持座の前記第一支持部に移動可能に連結されており、
前記第二支持部材は、前記第一支持部材と相互に伸縮可能に連結されており且つ前記第一スライドレールキットの前記第三レールに取り付けられており、
前記第三取付部材は、前記支持座の前記第二支持部に軸着されており且つ前記第二スライドレールキットに分離可能に取り付けられていることを特徴とするケーブルマネージメント支持装置。
【請求項２】
前記第一スライドレールキットは、前記第一レールに連結されている第一連接部材をさらに有し、
前記第一取付部材は前記第一連接部材に分離可能に取り付けられていることを特徴とする請求項１に記載のケーブルマネージメント支持装置。
【請求項３】
前記第一スライドレールキットは、前記第二レールに連結されている第二連接部材をさらに有し、
前記第二取付部材は前記第二連接部材に分離可能に取り付けられていることを特徴とする請求項１に記載のケーブルマネージメント支持装置。
【請求項４】
前記第二スライドレールキットは、連接部材をさらに有し、
前記第三取付部材は、取付壁、及び前記取付壁に連結されている操作アームをさらに有し、
前記取付壁は少なくとも一つの固定部及び第一開口を有し、
前記操作アームは、少なくとも一つの固定部に連結されている連接部、及び前記連接部の一方に連結されており且つ第一開口に対応する第一弾性部を有し、
前記第一弾性部は前記連接部材を係止するのに用いられる少なくとも一つの嵌着部を有することを特徴とする請求項１に記載のケーブルマネージメント支持装置。
【請求項５】
前記第三取付部材の前記取付壁は第二開口をさらに有し、
前記操作アームは、前記連接部のもう一方に連結され且つ前記第二開口に対応する第二弾性部、及び前記第二弾性部に連結されている係止部をさらに有し、
前記支持座の前記第二支持部は第一定位部と第二定位部をさらに有し、
前記係止部は、第一定位部、第二定位部のいずれか一つを選択して嵌着可能であることを特徴とする請求項４に記載のケーブルマネージメント支持装置。
【請求項６】
前記第三取付部材と前記支持座の前記第二支持部との間に連結されている弾性部材をさらに備え、
前記支持座の前記第二支持部は第一係止部及び第二係止部をさらに有し、
前記第三取付部材が第一方向に軸回転する時、前記弾性部材によって第一係止部が押圧され、
前記第三取付部材が第一方向と相反する方向である第二方向に軸回転する時、前記弾性部材によって第二係止部が押圧されることを特徴とする請求項１に記載のケーブルマネージメント支持装置。
【請求項７】
前記第一スライドレールキットの前記第三レールに連結されている補助部材、及び前記第二支持部材に連結されている定位部材をさらに備え、
前記補助部材は、取付口、及び前記取付口を係止するのに用いられる係止エッジが設けられている弾性アームを有し、
前記定位部材は前記取付口に取り付けられており且つ前記弾性アームの前記係止エッジによって係止されることを特徴とする請求項１に記載のケーブルマネージメント支持装置。
【請求項８】
ヒンジをさらに備え、
前記第一アームと前記第二アームはヒンジによって一緒に枢着されていることを特徴とする請求項１に記載のケーブルマネージメント支持装置。
【請求項９】
前記第一取付部材は前記第一アームの第一端に軸着されていることを特徴とする請求項１に記載のケーブルマネージメント支持装置。
【請求項１０】
前記第二取付部材は前記第二アームに軸着されていることを特徴とする請求項１に記載のケーブルマネージメント支持装置。
【請求項１１】
前記第一支持部材は前記支持座の前記第一支持部に軸着されることを特徴とする請求項１に記載のケーブルマネージメント支持装置。
【請求項１２】
支持部材に用いられ、支持座、及び取付部材を備え、
前記支持座は、第一支持部、及び前記第一支持部にほぼ垂直に連結されている第二支持部を有し、
前記支持部材は前記第一支持部に移動可能に連結されており、
前記取付部材は前記支持座の前記第二支持部に枢着されていることを特徴とする取付構成部材。
【請求項１３】
前記取付部材は、取付壁、及び前記取付壁に連結されている操作アームをさらに有し、
前記取付壁は少なくとも一つの固定部及び第一開口を有し、
前記操作アームは、少なくとも一つの前記固定部に連結されている連接部、及び前記連接部の一方に連結されており且つ前記第一開口に対応する第一弾性部を有し、
前記第一弾性部は、対象物件を係止するのに用いられる少なくとも一つの嵌着部を有することを特徴とする請求項１２に記載の取付構成部材。
【請求項１４】
前記取付部材の前記取付壁は第二開口をさらに有し、
前記操作アームは、前記連接部の他方に連結されており且つ前記第二開口に対応する第二弾性部、及び前記第二弾性部に連結されている係止部をさらに有し、
前記支持座の前記第二支持部は第一定位部と第二定位部をさらに有し、
係止部は前記第一定位部及び前記第二定位部のいずれか一つを選択して嵌着可能であることを特徴とする請求項１３に記載の取付構成部材。
【請求項１５】
前記取付部材と前記支持座の前記第二支持部との間に連結されている弾性部材をさらに備え、
前記支持座の前記第二支持部は第一係止部と第二係止部をさらに有し、
前記取付部材が第一方向に軸回転する時、前記弾性部材は前記第一係止部を押圧し、
前記取付部材が第一方向と相反する方向である第二方向に軸回転する時、前記弾性部材は前記第二係止部を押圧することを特徴とする請求項１２に記載の取付構成部材。
【考案の詳細な説明】
【技術分野】
【０００１】
本考案は、ケーブルマネージメント支持装置及び当該ケーブルマネージメント支持装置の取付構成部材に関する。
【背景技術】
【０００２】
特許文献１にはケーブルマネージメントアームに用いられる伸縮支持棒が開示されている。当該特許の説明書及び図面で理解されるように、ケーブルマネージメントアーム２４（Ｃａｂｌｅ  Ｍａｎａｇｅｍｅｎｔ  Ａｒｍ、ＣＭＡ）は、相互に軸着される二つのケーブルマネージメントアーム２６、２８をそれぞれシャーシ部材２２と引出しのスライドレールのキャビネット部材１８に連結する。また、伸縮支持棒４２は第一部材４６と第二部材４８を有する。第二部材４８は第一部材４６に対して移動し延長される。そのうち、図３〜図５から理解されるように、伸縮支持棒４２の両端５０、５２はそれぞれ軸着部材６０によって引出しスライドレールの中間部財２０の末端と別の引出しスライドレールのキャビネット部材１８に取り付けられる。
【先行技術文献】
【特許文献】
【０００３】
【特許文献１】米国特許公告第ＵＳ７７４６６６７Ｂ１号明細書
【考案の概要】
【考案が解決しようとする課題】
【０００４】
前記特許文献１により開示された伸縮支持棒４２は引出しスライドレールに取り付けられる特徴を有するが、製品の簡素化及び取付けの便利性を考慮し、これとは異なるケーブルマネージメントの支持装置を提供することができるなら、産業の多様化の要求に応じることができる。
【０００５】
本考案の目的は支持部材を迅速にスライドレールキットに取り付ける、或いはスライドレールキットから簡単に迅速に取り外すことのできるケーブルマネージメント支持装置を提供することにある。
【課題を解決するための手段】
【０００６】
本考案によるケーブルマネージメント支持装置は、第一スライドレールキット及び第二スライドレールキットへの取り付けに用いられる。第一スライドレールキットは、第一レール、第二レール、及び第一レールと第二レール間に移動可能に取り付けられる第三レールを有する。ケーブルマネージメント支持装置は第一アーム、第一取付部材、第二アーム、第二取付部材、複数のケーブル支持特徴部、支持座、第一支持部材、第二支持部材、及び第三取付部材を有する。第一アームは第一端及び第二端を有する。第一取付部材は第一アームの第一端に隣り合う箇所に連結される。第一取付部材は第一スライドレールキットの第一レールに取り付けられる。第二アームは第一アームの第二端に隣り合う箇所に移動可能に連結される。第二取付部材は第二アームに連結され、第二取付部材は第一スライドレールキットの第二レールに取り付けられる。複数のケーブル支持特徴部は第一アームと第二アームのいずれか一つに連結される。支持座は第一支持部、及び第一支持部にほぼ垂直に連結される第二支持部を有する。第一支持部材は支持座の第一支持部に移動可能に連結される。第二支持部材と第一支持部材は相互に伸縮するように連結される。第二支持部材は第一スライドレールキットの第三レールに取り付けられる。第三取付部材は支持座の第二支持部に軸着され、第三取付部材は第二スライドレールキットに分離されるように取り付けられる。
【０００７】
最も好ましくは、第一スライドレールキットは第一レールに連結される第一連接部材をさらに有し、第一取付部材は第一連接部材に分離されるように取り付けられる。
【０００８】
最も好ましくは、第一スライドレールキットは第二レールに連結される第二連接部材をさらに有し、第二取付部材は第二連接部材に分離されるように取り付けられる。
【０００９】
最も好ましくは、第二スライドレールキットは連接部材をさらに有する。第三取付部材は取付壁、及び取付壁に連結される操作アームをさらに有する。取付壁は少なくとも一つの固定部及び第一開口を有する。操作アームは、少なくとも一つの固定部に連結される連接部、及び連接部の一方に連結され且つ第一開口に対応する第一弾性部８８を有する。第一弾性部は、連接部材を係止するのに用いられる少なくとも一つの嵌着部を有する。第三取付部材の取付壁は第二開口をさらに有する。操作アームは、連接部のもう一方に連結され且つ第二開口に対応する第二弾性部、及び第二弾性部に連結される係止部をさらに有する。支持座の第二支持部は第一定位部と第二定位部をさらに有し、係止部は、第一定位部、第二定位部のいずれか一つを選択して嵌着できる。
【００１０】
最も好ましくは、ケーブルマネージメント支持装置には第三取付部材と支持座の第二支持部間に連結される弾性部材をさらに有し、支持座の第二支持部は第一係止部及び第二係止部をさらに有する。第三取付部材が第一方向に軸回転する時、弾性部材によって第一係止部が押圧され、第一方向に相反する第二方向に軸回転する時、弾性部材によって第二係止部が押圧される。
【００１１】
最も好ましくは、第一スライドレールキットは、第一スライドレールキットの第三レールに連結される補助部材、及び第二支持部材に連結される定位部材を有する。補助部材は取付口、及び取付口を係止するのに用いられる係止エッジを有する弾性アームを有する。定位部材は取付口に取り付けられ且つ弾性アームの係止エッジによって係止される。
【００１２】
最も好ましくは、ケーブルマネージメント支持装置はヒンジをさらに有し、第一ケーブルマネージメントアームと第二ケーブルマネージメントアームはヒンジによって一緒に枢着される。
【００１３】
最も好ましくは、第一取付部材は第一アームの第一端に軸着される。
【００１４】
最も好ましくは、第二取付部材は第二アームに軸着される。
【００１５】
最も好ましくは、第一支持部材は支持座の第一支持部に軸着される。
【００１６】
もう一つの本考案による取付構成部材は支持部材に用いられ、取付構成部材は支持座、及び取付部材を有する。支持座は第一支持部、及び第一支持部にほぼ垂直に連結される第二支持部を有し、支持部材は第一支持部に移動可能に連結される。取付部材は支持座の第二支持部に枢着される。
【００１７】
取付部材は、取付壁、及び取付壁に連結される操作アームをさらに有する。取付壁は少なくとも一つの固定部及び第一開口を有する。操作アームは、少なくとも一つの固定部に連結される連接部、及び連接部の一方に連結され且つ第一開口に対応する第一弾性部を有する。第一弾性部は、対象物件を係止するのに用いられる少なくとも一つの嵌着部を有する。取付部材の取付壁は第二開口をさらに有し、操作アームは、連接部のもう一方に連結され且つ第二開口に対応する第二弾性部、及び第二弾性部に連結される係止部を有する。支持座の第二支持部は第一定位部と第二定位部をさらに有し、係止部は第一定位部及び第二定位部のいずれか一つを選択して嵌着できる。
【００１８】
最も好ましくは、取付構成部材は、取付部材と支持座の第二支持部間に連結される弾性部材をさらに有し、支持座の第二支持部は第一係止部と第二係止部をさらに有する。取付部材が第一方向に軸回転する時、弾性部材は第一係止部を押圧し、取付部材が第一方向と相反する第二方向に軸回転する時、弾性部材は第二係止部を押圧する。
【００１９】
本考案に応用される実施形態の特徴の一つは、支持部材を迅速にスライドレールキットに取り付けられるか、或いはスライドレールキットから簡単かつ迅速に取り外されることにある。  
【図面の簡単な説明】
【００２０】
【図１】本考案の第一実施形態によるケーブルマネージメント支持装置が第一スライドレールキットと第二スライドレールキットの取付けに用いられたことを示す斜視図である。
【図２】図１のケーブルマネージメント支持装置を第一スライドレールキットと第二スライドレールキットから分離させたことを示す分解斜視図である。
【図３】本考案の第一実施形態によるケーブルマネージメント支持装置の第一取付部材と第二取付部材がそれぞれ第一スライドレールキットの第一レールと第二レールに取り付けられ、第二支持部材は第一スライドレールキットの第三レールに取り付けられたことを示す斜視図である。
【図３Ａ】図３の第二支持部材と第一スライドレールキットの第三レールの補助部材の分解図である。
【図４Ａ】本考案の第一実施形態によるケーブルマネージメント支持装置の第二支持部材が定位部材によって補助部材に取り付けられている操作模式図であり、補助部材の取付口に挿入された定位部材が係止エッジによって係止された状態を示す。
【図４Ｂ】本考案の第一実施形態によるケーブルマネージメント支持装置の第二支持部材が定位部材によって補助部材に取り付けられている操作模式図であり、補助部材の弾性アームが開かれ、係止エッジが補助部材の取付口に未係止である状態を示す。
【図４Ｃ】本考案の第一実施形態によるケーブルマネージメント支持装置の第二支持部材が定位部材によって補助部材に取り付けられている操作模式図であり、補助部材の弾性アームが開かれ且つ定位部材が補助部材の取付口より離脱した状態を示す。
【図５】本考案の第一実施形態によるケーブルマネージメント支持装置の第三取付部材を支持座の第二支持部に軸着し且つ第三取付部材が第二スライドレールキットの連接部材に取り付けられた斜視図である。
【図６】本考案の第一実施形態によるケーブルマネージメント支持装置の第三取付部材、支持座、及び第一支持部材の分解斜視図である。
【図７】本考案の第一実施形態によるケーブルマネージメント支持装置の第三取付部材が操作され、第一方向或いは第二方向に向かうことを示す斜視図である。
【図８Ａ】本考案の第一実施形態によるケーブルマネージメント支持装置の第三取付部材の係止部と支持座の第一定位部間に互いに嵌着される状態を示す図である。
【図８Ｂ】本考案の第一実施形態によるケーブルマネージメント支持装置の第三取付部材が操作され、係止部が第一定位部から解除離脱される状態を示す図である。
【図９】本考案の第一実施形態によるケーブルマネージメント支持装置の第二アームが第一アームに対して閉じられて密着し且つ第二支持部材は第一支持部材に対して閉じられた状態を示す図である。
【図１０】本考案の第一実施形態によるケーブルマネージメント支持装置の第二取付部材が第一取付部材に対して一定距離を移動し、これにより、第二アームが第一アームに対して開かれた状態となり、且つ第二支持部材は第一支持部材に対して移動する状態を示す図である。
【図１１】本考案の第一実施形態によるケーブルマネージメント支持装置の第二取付部材が第一取付部材に対してさらに一定距離を移動し、これにより、第二アームが第一アームに対してさらに開かれた状態となり、且つ第二支持部材は第一支持部材に対して移動する状態を示す図である。
【図１２】本考案の第二実施形態によるケーブルマネージメント支持装置の第三取付部材が第一スライドレールキットの第一連接部材に応用されて取り付けられた状態を示す図である。
【図１３】本考案の第二実施形態によるケーブルマネージメント支持装置の第三取付部材と支持座の第二支持部間に弾性部材を連結した状態を示す斜視図である。
【図１４】本考案の第二実施形態によるケーブルマネージメント支持装置の第三取付部材は支持座の第二支持部の係止部の働きにより軸着時にさらなる位置限定ができることを示す図である。
【考案を実施するための形態】
【００２１】
（第一実施形態）
図１及び図２は本考案の第一実施形態によるケーブルマネージメント支持装置２０は第一スライドレールキット２２と第二スライドレールキット２４に取り付けるのに用いられる。第一スライドレールキット２２及び第二スライドレールキット２４は、それぞれ対応する一対の支柱２６に取り付けられる。
【００２２】
第一スライドレールキット２２及び第二スライドレールキット２４は、第一レール２８、第二レール３０、及び第一レール２８と第二レール３０間に移動可能に取り付けられる第三レール３２を有する。第三レール３２は、第二レール３０が第一レール２８に対して縦方向に移動するストロークを延長するのに用いられる。サーバーのシャーシ３４（ｃｈａｓｓｉｓ）の相対する両側はそれぞれ、第一スライドレールキット２２の第二レール３０と第二スライドレールキット２４の第二レールに取り付けられ、第一スライドレールキット２２と第二スライドレールキット２４にシャーシ３４を載せる（視角の関係により、第二スライドレールキット２４の第二レールと第三レールは未図示）。
【００２３】
ケーブルマネージメント支持装置２０は第一アーム３６、第一取付部材３８、第二アーム４０、第二取付部材４２、複数のケーブル支持特徴部４４、支持座４６、第一支持部材４８、第二支持部材５０、及び第三取付部材５２を有する。
【００２４】
第一アーム３６は第一端５４ａ及び第二端５４ｂを有する。第一取付部材３８は第一アーム３６の第一端５４ａに隣り合う箇所に連結される。第一取付部材３８は第一アーム３６の第一端５４ａに隣り合う箇所に軸着される。使用する際は、第一取付部材３８は第一スライドレールキット２２の第一レール２８に取り付けられる。最も好ましくは第一スライドレールキット２２は第一スライドレールキット２２の第一レール２８に連結される第一連接部材５６を有し（第一連接部材５６は第一レール２８の端部に隣り合う箇所に連結される）、第一取付部材３８は第一連接部材５６に取り付けられる。第一取付部材３８は第一連接部材５６と分離されるように取り付けられる。
【００２５】
第二アーム４０は第一アーム３６の第二端５４ｂに隣り合う箇所に移動可能に連結される。第一実施形態において、第二アーム４０はヒンジ５８（或いはヒンジ構造）によって第一アーム３６と共に軸着され、これにより、第二アーム４０は第一アーム３６に対して図１１のような開かれた状態となるか閉じられて密着する。
【００２６】
第二取付部材４２は第二アーム４０に連結すると、第二取付部材４２は第二アーム４０の端部に隣り合う箇所に軸着する。使用する時、第二取付部材４２は第一スライドレールキット２２の第二レール３０に取り付けられる。最も好ましくは、第一スライドレールキット２２は、第一スライドレールキット２２の第二レール３０に連結される第二連接部材６０を有する（第二連接部材６０は第二レール３０の端部に隣り合う箇所に連結される）。第二取付部材４２は第二連接部材６０に取り付けられる。第二取付部材４２は第二連接部材６０に移動可能に取り付けられる。
【００２７】
複数のケーブル支持特徴部４４は第一アーム３６と第二アーム４０のいずれか一つに連結される。第一実施形態において、ケーブル支持特徴部４４は第一アーム３６及び第二アーム４０に連結される。これらのケーブル支持特徴部４４によって、サーバーのケーブル（ｃａｂｌｅｓ）（未図示）を置くことができる。
【００２８】
支持座４６は第一支持部６２、及び第一支持部６２にほぼ垂直に連結される第二支持部６４を有する。
【００２９】
第一支持部材４８は支持座４６の第一支持部６２に移動可能に連結される。第二支持部材５０と第一支持部材４８は相互に伸縮するように連結される。第一支持部材４８と第二支持部材５０は第一アーム３６と第二アーム４０の一つの下方に位置され、支持作用を起こし、第一アーム３６と第二アーム４０に積載するケーブルの荷重が重すぎて墜落するのを防ぐ。
【００３０】
図３及び図３Ａに示すとおり、第二支持部材５０は第一スライドレールキット２２の第三レール３２に取り付けられる。第一実施形態において、第一スライドレールキット２２は、第一スライドレールキット２２の第三レール３２に取り付けられる補助部材６６（第三レール３２の端部に隣り合う箇所）、及び第二支持部材５０に連結される定位部材６８を有する。
【００３１】
詳細すると、図３Ａ及び図４Ａ〜図４Ｃに示すとおり、補助部材６６は取付口７０及び弾性アーム７２を有する。弾性アーム７２の端部は適当な位置に固定され、且つ取付口７０を係止するのに用いられる係止エッジ７４を有する。定位部材６８は取付口７０に取り付けられ且つ弾性アーム７２の係止エッジ７４によって係止される。
【００３２】
第二支持部材５０は定位部材６８が補助部材６６の取付口７０に挿入される時に、弾性アーム７２の係止エッジ７４によって定位部材６８が係止され、定位部材６８は補助部材６６の取付口７０に取り付けられる（図４Ａ参照）。この取り付け状態を解除したい場合、操作者は補助部材６６の弾性アーム７２を操作して弾性アーム７２を開き、この状態下で弾性アーム７２の係止エッジ７４は二度と取付口７０を係止することがない（図４Ｂ参照）。これにより、定位部材６８は補助部材６６の取付口７０から離脱し（図４Ｃ）、第二支持部材５０は迅速に第一スライドレールキット２２の第三レール３２から取り外される。また、定位部材６８と弾性アーム７２の一つの接触部は案内特徴（斜面等）を有しており、二つの構成要素を互いに組み合わせる時、弾性アーム７２は直接、定位部材６８に支えられた後に定位し合うため、手での弾性アーム７２の操作の必要がない。前述により理解されるとおり、第二支持部材５０は第一スライドレールキット２２の第三レール３２と分離されるように取り付けられる。
【００３３】
図５、図６に示すとおり、前記第一支持部材４８は軸着部材４９によって支持座４６の第一支持部６２に軸着され、これにより、第一支持部材４８は支持座４６の第一支持部６２に対して軸回転の動作をする。第三取付部材５２は軸着部材５３によって支持座４６の第二支持部６４に軸着され、第三取付部材５２は支持座４６の第二支持部６４に対して軸回転し且つ第二スライドレールキット２４と分離されるように連結される（詳細は後述）。
【００３４】
注意すべき点は、支持座４６と第三取付部材５２は取付構成部材とみなされ、取付構成部材は支持部材に用いられ（第一支持部材４８等）、これにより、支持部材が取付構成部材の第三取付部材５２を介して異なる方向に軸回転する時、支持部材は異なる対象物件に取り付けられる。支持部材は第三取付部材５２により第二スライドレールキット２４に取り付けられたり、或いは第三取付部材５２により第一スライドレールキット２２に取り付けられる（図１２参照）。
【００３５】
第一実施形態において、第二スライドレールキット２４は連接部材７６をさらに有する。第三取付部材５２は取付壁７８、及び対応する取付壁７８に取り付けられる操作アーム８０をさらに有する。取付壁７８は少なくとも一つの固定部８２及び第一開口８４を有する。操作アーム８０は、対応する少なくとも一つの固定部８２に連結される連接部８６、及び連接部８６の一方に連結され且つ第一開口８４に対応する第一弾性部８８を有する。
【００３６】
第一弾性部８８は、対象物件を係止するのに用いられる少なくとも一つの嵌着部９０を有する。第三取付部材５２が第二スライドレールキット２４の連接部材７６に連結される時、少なくとも一つの嵌着部９０は対応する連接部材７６の一部分を係止するのに用いられ、これにより第三取付部材５２と連接部材７６は取付状態を保持することができる。また、操作者は第一開口８４から第一弾性部８８の操作を行なえ（プッシュ等）、少なくとも一つの嵌着部９０を連接部材７６の一部分に対して移動させることができる。このようにして第三取付部材５２と連接部材７６の取付状態を解除し、第三取付部材５２を連接部材７６から取り外すことができる。
【００３７】
最も好ましくは、第三取付部材５２の取付壁７８は第二開口９２、及び貫通孔９３をさらに有する。操作アーム８０は、連接部８６のもう一方に取り付けられる第二弾性部９４を有する（第二弾性部９４と第一弾性部８８は連接部８６を支点としてそれぞれが連接部８６の対応する両側に位置されるが、これに制限されないものとする）。第二弾性部９４は第二開口９２に対応される。また、係止部９６は第二弾性部９４に連結される。係止部９６は取付壁７８の貫通孔９３に対応するように貫通される。また、支持座４６の第二支持部６４は第一定位部９７ａと第二定位部９７ｂをさらに有し、係止部９６は取付壁７８の貫通孔９３を貫通後、第一定位部９７ａ或いは第二定位部９７ｂへの嵌着に用いられる。
【００３８】
具体的には、図７に示すとおり、第三取付部材５２は支持座４６の第二支持部６４に軸着する。これにより、第三取付部材５２は第一方向Ｄ１に軸回転するか、或いは第二方向Ｄ２に軸回転する。最も好ましくは、第一方向Ｄ１と第二方向Ｄ２は相反している。この特徴に基づき、第三取付部材５２が軸回転して第一方向Ｄ１にある時、第三取付部材５２は第二スライドレールキット２４に取り付けた連接部材７６に応用される。第三取付部材５２が軸回転して第二方向Ｄ２にある時、第三取付部材５２は第一スライドレールキット２２に取り付けた連接部材に応用される。この部分については図９〜１２及びその関連部分について説明する。
【００３９】
図７、図８Ａ〜図８Ｃに示すとおり、第三取付部材５２が軸回転して第一方向Ｄ１に向かう時、係止部９６が取付壁７８の貫通孔９３と支持座４６の第一定位部９７ａに貫通することで、係止部９６は第一定位部９７ａに嵌着し、第三取付部材５２が軸回転後、さらに位置が限定されて固定され、第三取付部材５２の安定性を高め取付作業に利便をはかる。
【００４０】
第三取付部材５２を第一方向Ｄ１から第二方向Ｄ２に軸回転した時、操作者は第二開口９２により力Ｆを加えて（プッシュ等）操作アーム８０の第二弾性部９４を操作し、係止部９６は貫通孔９３と支持座４６の第一定位部９７ａの中から嵌着を解除される。この状態において、操作者は第三取付部材５２を第一方向Ｄ１から第二方向Ｄ２に軸回転し、並びに係止部９６は支持座４６の第二定位部９７ｂに嵌着され、第三取付部材５２を更に位置限定し固定し、第三取付部材５２の安定性を高め取付作業に利便をはかる。よって、係止部９６は第一定位部９７ａ及び第二定位部９７ｂのいずれか一つを選択して嵌着できる。
【００４１】
図９に示すとおり、第一スライドレールキット２２の第二レール３０と第二スライドレールキット２４の第二レール３０がそれぞれの第一レール２８に対して閉位置にある時、第二アーム４０は第一アーム３６に対して収納、密着され、且つ第二支持部材５０は第一支持部材４８に対して閉じた状態となる。
【００４２】
図１０に示すとおり、第一スライドレールキット２２の第二レール３０と第二スライドレールキット２４の第二レール３０がそれぞれの第一レール２８に対して閉位置から延長位置の方向Ｄの縦方向に向かって一定距離Ｌ１移動する時、シャーシ３４はこれに従い方向Ｄに移動する。この状態において、ケーブルマネージメント支持装置２０の第二取付部材４２は第一取付部材３８に対して方向Ｄに移動し、これにより、第二アーム４０は第一アーム３６に対して開かれた状態となる。第一スライドレールキット２２の第三レール３２（図２に示した第三レール３２）もまた第一スライドレールキット２２の第二レール３０の連動を受けて方向Ｄの縦方向に向かって移動する。これにより、第二支持部材５０は、第一スライドレールキット２２の第三レール３２と相互に連結される定位部材６８により、第一支持部材４８に対して移動し、これに応じて第二アーム４０は第一アーム３６に対して開かれた状態となる。
【００４３】
図１１に示すとおり、第一スライドレールキット２２の第二レール３０と第二スライドレールキット２４の第二レール３０がそれぞれの第一レール２８に対して方向Ｄに向かいさらに縦方向に距離Ｌ２移動した時、シャーシ３４はこれに従い方向Ｄに向かって移動する。この状態の下、ケーブルマネージメント支持装置２０の第二取付部材４２は第一取付部材３８に対してさらに方向Ｄに向かって移動する。これにより、第二アーム４０は第一アーム３６に対してさらに開かれた状態となる。第一スライドレールキット２２の第三レール３２もまた第一スライドレールキット２２の第二レール３０の連動を受けて方向Ｄの縦方向にさらに移動する。第二支持部材５０は、第一スライドレールキット２２の第三レール３２は互いに連結される定位部材６８の働きにより第一支持部材４８に対してさらに移動し、これに応じる第二アーム４０は第一アーム３６に対してさらに開かれる状態となる。
【００４４】
図９〜図１１で理解されるとおり、第二アーム４０は第一スライドレールキット２２の第二レール３０の移動によって第一アーム３６に対して開くか閉じた状態となる。また、第二支持部材５０は第一スライドレールキット２２の第三レール３２の移動によって第一支持部材４８に対して移動する。これにより、シャーシ３４が引き出されたり収納される時は、第一アーム３６と第二アーム４０が同時にケーブルマネージメント作用を提供し（シャーシ３４後方のケーブルを整理）、且つ第一支持部材４８と第二支持部材５０が同時に支持作用を提供する（第一アーム３６を支持）。
【００４５】
（第二実施形態）
図１２は本考案の第二実施形態のケーブルマネージメント支持装置２０を第一スライドレールキット２２と第二スライドレールキット２４の動作状態に応用される。
【００４６】
第三取付部材５２が軸回転され第二方向Ｄ２に向かう時（図７参照）、前述の第一実施形態（図９〜図１１）において第三取付部材５２は第一スライドレールキット２２の第一レール２８上の第一連接部材５６に取り付けられている。また、第一取付部材３８と第二取付部材４２はそれぞれ第一アーム３６と第二アーム４０を軸着するため、第一取付部材３８と第二取付部材４２もまた第二方向Ｄ２に向かって軸回転する。第一取付部材３８は第二スライドレールキット２４の連接部材７６に取り付けられ、第二取付部材４２は第二スライドレールキット２４のもう一つの連接部材７６に取り付けられる。前述から理解されるとおり、ケーブルマネージメント支持装置２０が第一スライドレールキット２２と第二スライドレールキット２４に配置される形式は左右を調整して使用できる。
【００４７】
図１３は本考案の第二実施形態によるケーブルマネージメント支持装置の第三取付部材３００と支持座３０２の配置関係を示す。同様に第三取付部材３００は支持座３０２の第二支持部３０４に軸着される。上述の第一実施形態（図７）との相違点は、ケーブルマネージメント支持装置には第三取付部材３００と支持座３０２の第二支持部３０４間に連結される弾性部材３０６をさらに有し、支持座３０２の第二支持部３０４は第一係止部３０８と第二係止部３１０を有する点にある。
【００４８】
図１４に示すとおり、第三取付部材３００が第一方向Ｄ１に軸回転する時、第三取付部材３００は弾性部材３０６が第一係止部３０８を押圧することで、さらにその位置が限定される。或いは第三取付部材３００が第一方向Ｄ１より第一方向Ｄ１と相反する第二方向Ｄ２に軸回転された時、第三取付部材３００は弾性部材３０６が第二係止部３１０を押圧することで、さらにその位置が限定される。
【００４９】
本考案はすでに前述の実施形態に開示されたとおりであるが、それは本考案に限定されるものではないため、本考案によって保護される範囲は添付の実用新案登録請求の範囲を基準とする。
【符号の説明】
【００５０】
２０    ケーブルマネージメント支持装置、
２２    第一スライドレールキット、
２４    第二スライドレールキット、
２６    支柱、
２８    第一レール、
３０    第二レール、
３２    第三レール、
３４    シャーシ、
３６    第一アーム、
３８    第一取付部材、
４０    第二アーム、
４２    第二取付部材、
４４    ケーブル支持特徴部、
４６、３０２    支持座、
４８    第一支持部材、
４９    軸着部材、
５０    第二支持部材、
５２、３００    第三取付部材、
５３    軸着部材、
５４ａ    第一端、
５４ｂ    第二端、
５６    第一連接部材、
５８    ヒンジ、
６０    第二連接部材、
６２    第一支持部、
６４、３０４    第二支持部、
６６    補助部材、
６８    定位部材、
７０    取付口、
７２    弾性アーム、
７４    係止エッジ、
７６    連接部材、
７８    取付壁、
８０    操作アーム、
８２    固定部、
８４    第一開口、
８６    連接部、
８８    第一弾性部、
９０    嵌着部、
９２    第二開口、
９３    貫通孔、
９４    第二弾性部、
９６    係止部、
９７ａ    第一定位部、
９７ｂ    第二定位部、
３０６    弾性部材、
３０８    第一係止部、
３１０    第二係止部、
Ｄ    方向、
Ｄ１    第一方向、
Ｄ２    第二方向、
Ｆ    力、
Ｌ１、Ｌ２    距離。
【図１】
0003196217.tif 000003
【図２】
0003196217.tif 000004
【図３】
0003196217.tif 000005
【図３Ａ】
0003196217.tif 000006
【図４Ａ】
0003196217.tif 000007
【図４Ｂ】
0003196217.tif 000008
【図４Ｃ】
0003196217.tif 000009
【図５】
0003196217.tif 000010
【図６】
0003196217.tif 000011
【図７】
0003196217.tif 000012
【図８Ａ】
0003196217.tif 000013
【図８Ｂ】
0003196217.tif 000014
【図９】
0003196217.tif 000015
【図１０】
0003196217.tif 000016
【図１１】
0003196217.tif 000017
【図１２】
0003196217.tif 000018
【図１３】
0003196217.tif 000019
【図１４】
0003196217.tif 000020